(57)【特許請求の範囲】
【請求項１】
浴室内に温水のミストを噴霧するミストサウナ装置（３０）に温水を供給するヒートポンプ式給湯機システムであって、
ヒートポンプユニット（１）によって内部の水を加熱するとともに貯える貯湯タンクユニット（１０）と、
前記ヒートポンプユニット（１）によって加熱された高温水を供給するために延設された高温側供給配管（１８）と、
前記高温側供給配管（１８）を流れてきた高温水と混合させる低温水を供給するために延設された低温側供給配管（２９）と、
前記高温側供給配管（１８）を流れてきた高温水と前記低温側供給配管（２９）を流れてきた低温水とを合流させて混合することにより、前記ミストサウナ装置（３０）に供給する温水を生成する湯水混合手段（２０Ａ）と、を備え、
前記湯水混合手段（２０Ａ）は、前記ヒートポンプユニット（１）および前記貯湯タンクユニット（１０）から離れた両ユニットの外部に設置されており、
前記低温側供給配管（２９）は、給湯用水として前記貯湯タンクユニット（１０）から導出される湯が流れる給湯配管（１３）の途中であって、前記貯湯タンクユニット（１０）に水道水を運ぶ給水配管（７）が分岐して前記給湯配管（１３）と合流する位置に備えられた給湯用湯水混合手段（１４）よりも下流部分（２８）から、前記湯水混合手段（２０Ａ）に向けて延設されていることを特徴とするヒートポンプ式給湯機システム。
【請求項２】
前記湯水混合手段（２０Ａ）は前記高温側供給配管（１８）を流れてきた高温水と前記低温側供給配管（２９）を流れてきた低温水の流量比を自己調整する自己式混合弁を備えることを特徴とする請求項１に記載のヒートポンプ式給湯機システム。
【発明の詳細な説明】
【技術分野】
【０００１】
本発明は、ミストサウナ装置に温水を供給するヒートポンプ式給湯機システムに関する。
【背景技術】
【０００２】
従来、ミストサウナ装置に温水を供給する給湯機システムは、ガス給湯機に接続されたミストサウナ装置にガス給湯機で加熱した温水を供給するものが知られている（例えば、特許文献１参照）。
【０００３】
この特許文献１に記載の給湯機システムは、浴室外のガス給湯機と浴室内のミストサウナ装置側を給湯管で接続するとともに、この給湯管のミストサウナ装置側に温水の温度変化を緩和するバッファタンクを配置する構成である。
【０００４】
通常、このようなガス給湯機はバーナにより給水を加熱して温水として給湯管を通じてミストサウナ装置側に供給するものである。そして、給湯管を流れる温水の温度を検知してからバーナを燃焼させたり、燃焼を停止したりすると、燃焼開始時には低温の温水が流れ、燃焼停止時には高温の温水が流れることになり、ミストサウナ装置に供給される温水の温度が変動するという問題があった。特許文献１に記載の給湯機システムは、この温度変動を解決するためにバッファタンクを備えている。
【特許文献１】特開２００５‐２６５３１１号公報
【発明の開示】
【発明が解決しようとする課題】
【０００５】
しかしながら、上記従来の給湯機システムにおいては、ガス給湯機によって加熱された温水は給湯管を通ってバッファタンクに流れる間に放熱してしまい熱的ロスが生じてしまう。特に給湯機システムの施工条件によっては、給湯管において発生する圧力損失や温水の温度低下が大きくなることも考えられる。
【０００６】
また、ミストサウナ装置においては、ノズル等を用いて浴室内に霧化した温水を供給するために、安定した給水圧が必要であり、さらに効率の面からも大量の捨て水を発生しないように必要量程度の低流量の温水を供給する必要がある。したがって、上記従来の給湯機システムではこれを実現することが困難である。
【０００７】
そこで、本発明の目的は、上記問題点を鑑みてなされたものであり、安定した給水圧および低流量の温水を熱的ロスの少ない適温でミストサウナ装置に供給できるヒートポンプ式給湯機システムを提供することにある。
【課題を解決するための手段】
【０００８】
上記目的を達成するために、以下の技術的手段を採用する。すなわち、請求項１に記載のヒートポンプ式給湯機システムに係る発明は、ヒートポンプユニット（１）によって内部の水を加熱するとともに貯える貯湯タンクユニット（１０）と、ヒートポンプユニット（１）によって加熱された高温水を供給するために延設された高温側供給配管（１８）と、高温側供給配管（１８）を流れてきた高温水と混合させる低温水を供給するために延設された低温側供給配管（２９）と、当該高温水と当該低温水とを合流させて混合することによりミストサウナ装置（３０）に供給する温水を生成する湯水混合手段（２０Ａ）と、を備えている。そして、湯水混合手段（２０Ａ）は、ヒートポンプユニット（１）および貯湯タンクユニット（１０）から離れた両ユニットの外部に設置されている。さらに、低温側供給配管（２９）は、給湯用水として貯湯タンクユニット（１０）から導出される湯が流れる給湯配管（１３）の途中であって、貯湯タンクユニット（１０）に水道水を運ぶ給水配管（７）が分岐して給湯配管（１３）と合流する位置に備えられた給湯用湯水混合手段（１４）よりも下流部分（２８）から、湯水混合手段（２０Ａ）に向けて延設されている。
【０００９】
この請求項１によれば、低流量の温水供給に適した蓄熱式のヒートポンプ式給湯機で加熱した湯を高温水として使用し、温度調節を行う湯水混合手段をヒートポンプユニットおよび貯湯タンクユニットから離れた両ユニットの外部に設置することにより、温度調節後の温水がミストサウナ装置に到達するまでの経路を短くすることができるので、安定した給水圧および低流量の温水を熱的ロスの少ない適温でミストサウナ装置に供給することができる。また、ミストサウナ装置への供給する温水を適温および低流量の温水にすることができるので、ミスト化されない捨て水を大量に発生することがなく効率のよいシステムを提供できる。
【００１０】
さらに請求項１によれば、低温側供給配管（２９）は、当該給湯配管（１３）の途中であって、貯湯タンクユニット（１０）に水道水を運ぶ給水配管（７）が分岐して給湯配管（１３）と合流する位置に備えられた給湯用湯水混合手段（１４）よりも下流部分（２８）から、湯水混合手段（２０Ａ）に向けて延設されていることにより、低温側供給配管の配管施工を簡単化することができる。また、貯湯タンクユニットに供給される水道水の水圧を減圧する減圧手段が設けられている場合には、高温水に対して圧力バランスがとれた低温水を取り込むことができるので、ミストサウナ装置に供給する温水の温度調節が行い易い。さらに、この減圧手段は、高温水と混合させる低温水の流量を調整することとなるので、ミストサウナ装置に供給する温水の温度調節と、貯湯タンクユニットに供給する水道水の流量調節との両方を兼ねることができる。したがって、湯水混合手段における減圧弁を不要とすることができる。
【００２０】
請求項２に記載の発明では、湯水混合手段（２０Ａ）は、高温側供給配管（１８）を流れてきた高温水と低温側供給配管（２９）を流れてきた低温水の流量比を自己調整する自己式混合弁を備えることが好ましい。
【００２１】
この発明によれば、自己式混合弁は、サウナ装置に供給する温水を所望の温度に自己調節するので、制御装置との信号の送受信が不要であり、制御構成、またはシステムにおける施工を簡略化することができる。
【００２２】
なお、上記各手段の括弧内の符号は、後述する実施形態の具体的手段との対応関係を示す一例である。
【発明を実施するための最良の形態】
【００２３】
（第１参考形態）
本発明の第１参考形態を図１および図２を用いて説明する。図１は、本参考形態におけるヒートポンプ式給湯機システムの概略構成を示した模式図である。図２は、ヒートポンプ式給湯機システムにおける制御構成を示した模式図である。
【００２４】
図１に示すように、本参考形態のヒートポンプ式給湯機システムは、浴室内に温水のミストを噴霧するミストサウナ装置３０に温水を供給するものであり、ヒートポンユニット１と、ヒートポンプユニット１によって内部の水を加熱するとともに貯える貯湯タンク２を備えた貯湯タンクユニット１０と、ヒートポンプユニット１で加熱された高温水と低温水とを合流させて混合することによりミストサウナ装置３０に供給する温水を生成する湯水混合手段２０と、を主に備えている。
【００２５】
そして、湯水混合手段２０は、ヒートポンプユニット１によって加熱された高温水を供給するために延設された高温側供給配管１８と、高温水と混合させる低温水を供給するために延設された低温側供給配管２１とが合流する部分に三方弁である湯水混合弁３５を備えている。さらに、この湯水混合手段２０は、ヒートポンプユニット１および貯湯タンクユニット１０から離れた両ユニットの外部に設置されているものである。
【００２６】
なお、ミストサウナ装置３０は、浴室近傍の外部や浴室天井部などに設置され、吹出しグリル等のミスト吹出し部は浴室内に臨むように配置されている。ヒートポンプユニット１および貯湯タンクユニット１０は浴室の外に配置されている。湯水混合手段２０は浴室の外であるが、ミストサウナ装置３０に近い位置に設置することが好ましい。例えば、湯水混合手段２０は、点検用の開口扉を有する箱体内に収納されている。
【００２７】
次に、貯湯タンク２の下面には、タンク内の水を吸い出すための流出口５が設けられ、貯湯タンク２の上面にはタンク内に湯を流入させる流入口４が設けられている。流出口５と流入口４は戻り配管３や往き配管６が構成する循環回路で連通されており、循環回路の一部はヒートポンプユニット１内に配置されている。循環回路における流入口４寄りにはタンク保護のための図示しないサーモスタットが設けられている。
【００２８】
循環回路のヒートポンプユニット１内に配置された部分には、図示しない熱交換器が設けられており、流出口５から吸入した貯湯タンク２内の水を高温冷媒との熱交換により加熱し、流入口４からタンク内に戻すことにより貯湯タンク２内の水を沸き上げることができる構成となっている。
【００２９】
ヒートポンプユニット１は、ヒートポンプサイクルを構成する本参考形態における加熱手段であり、ヒートポンプユニット１は制御装置４０からの制御信号により作動するとともに、その作動状態を制御装置４０に出力するように構成されている。なお、ヒートポンプユニット１における作動冷媒は、二酸化炭素である。
【００３０】
貯湯タンクユニット１０は、貯湯タンク２、貯湯タンク２に流入または流出する温水等が流れる複数の配管、減圧弁、および混合弁を含んで構成されており、これらはケーシングで覆われている。
【００３１】
また、貯湯タンク２の下部の外壁面には、タンク内下部の水温を検出する図示しない入水サーミスタが設けられており、導入口１１から導入された水道水の温度情報を制御装置４０に出力するようになっている。また、貯湯タンク２の上部外壁面には、タンク内上部の水温を検出する図示しない出湯サーミスタが設けられており、導出口１２から導出される湯の温度情報を制御装置４０に出力するように構成されている。
【００３２】
また、貯湯タンク２の外壁面には、図示しない複数の水位サーミスタが縦方向にほぼ等間隔に配置され、タンク内に満たされた水の各水位レベルでの温度情報を制御装置４０に出力するように構成されている。この水位サーミスタからの温度情報に基づいて、貯湯タンク２内上方の沸き上げられた給湯水とタンク内下方の沸き上げられる前の水との温度境界位置を検出できるように構成されている。  高温側供給配管１８は、ヒートポンプユニット１で加熱された温水が貯湯タンク２に戻る戻り配管３の分岐部２４から湯水混合手段２０に向けて延設されることが好ましい。また、低温側供給配管２１は、貯湯タンク２に水道水を供給する給水配管７の分岐部２５から湯水混合手段２０に向けて延設されることが好ましい。
【００３３】
この構成を採用した場合には、貯湯タンクユニット１０の構造を専用品として構成する必要がなく、標準的な構造のものを使用することができる。また、既存の給湯機に対してミストサウナ装置を付加する場合の後付け設置施工を簡単な工事で行うことができる。
【００３４】
この高温側供給配管１８と低温側供給配管２１が湯水混合手段２０に向けて延設されて、これらが合流する合流部には、三方弁である湯水混合弁３５が設けられている。湯水混合弁３５のさらに下流の温水供給配管２３には混合された温水の温度を検出する温水サーミスタ１９が設けられている。温水供給配管２３はミストサウナ装置３０に接続されて温度調節された温水をミストサウナ装置３０まで運び、ミストを吹き出すノズルに連通している。
【００３５】
湯水混合弁３５および温水サーミスタ１９と、制御装置４０とは、無線または有線によって電気的につながっている。湯水混合弁３５の作動は、制御装置４０によって制御され、ミストサウナ装置３０側に供給される温水の温度情報は制御装置４０に出力される。湯水混合弁３５に流入する水道水は、湯水混合弁３５の手前の低温側供給配管２１に設けられた減圧弁２２によってその圧力が所定値に設定されて流入量が制御されることになる。
【００３６】
湯水混合弁３５は、制御装置４０によって高温側供給配管１８内に通じる開度と低温側供給配管２１内に通じる開度の比率が調整されることにより、分岐部２４からの高温水と分岐部２５からの低温水との混合比を調節するように構成されている。湯水混合弁３５はサーボモータなどの駆動源により弁体が駆動されて各経路の開度が調節される電動弁であり、その作動情報は制御装置４０に出力される。
【００３７】
貯湯タンク２は耐食性に優れた金属製のタンクであり、その外周部に図示しない断熱材が配置されており、高温の給湯用水を長時間に渡って保温することができる。貯湯タンク２は縦長の形状であり、その底面には導入口１１が設けられ、この導入口１１は給水配管７と連通している。導入口１１の上流側には、給水サーミスタ（図示せず）と流量カウンタ（図示せず）が設けられ、この温度情報および流量情報は制御装置４０に出力される。
【００３８】
また、導入口１１の上流側には、給水配管７を流れてくる水道水の水圧を所定圧に減圧する減圧手段としての減圧弁８が設けられている。例えば、減圧弁８は、給水配管７を流れる水道水の水道圧力４００ＫＰａを約８０ＫＰａに減圧する。
【００３９】
導入口１１と減圧弁８の間には、給水配管７を分岐する分岐部９が構成され、分岐部９から、給湯水栓、シャワー、風呂等への混合流路を構成する配管１７が延設されている。
【００４０】
一方、貯湯タンク２の最上部には導出口１２が設けられ、導出口１２にはタンク内の高温の湯を導出するための配管１３が接続されている。この配管１３と配管１７の合流点には、温度調節機能を有する給湯用湯水混合手段であり、三方弁で構成された混合弁１４が配置されている。
【００４１】
混合弁１４は、制御装置４０によって配管１３内に通じる開度と配管１７内に通じる開度の比率が調整されることにより、配管１３からの給湯水と合流部９からの水道水との混合比を調節するように構成されている。混合弁１４はサーボモータなどの駆動源により弁体が駆動されて各経路の開度が調節される電動弁であり、その作動情報は制御装置４０に出力される。混合弁１４の出口側の配管１７には、給湯水の温度を検出する給湯サーミスタ１５と流量カウンタ１６が設けられ、配管１７は給湯水栓、シャワー、風呂等へと通じる。
【００４２】
なお、ヒートポンプユニット１が循環回路に設けられた図示しない熱交換器により循環回路内の水を加熱するときには、制御装置４０は、入水サーミスタからの温度情報に基づいてヒートポンプユニット１を作動制御するように構成されている。
【００４３】
制御装置４０は本参考形態における制御手段であり、図２に示すように、給湯用操作パネル２６、ミストサウナ装置用操作パネル２７、各種センサ類からの温度情報、流量情報、圧力情報、ヒートポンプユニット１からの信号、給湯サーミスタ１５、流量カウンタ１６、混合弁１４、および温水サーミスタ（図示せず）からの信号を受信する。そして、制御装置４０は、これらの信号に基づいてヒートポンプユニット１、混合弁１４、給湯用操作パネル２６の表示、およびミストサウナ装置用操作パネル２７の表示を制御するように構成されている。
【００４４】
給湯用操作パネル２６は、浴室内やキッチンなどの湯を使用する場所の壁面に設置されている。ミストサウナ装置用操作パネル２７は、浴室内や、脱衣所などの壁面に設置されており、または、給湯用操作パネル２６と一体化して構成されてもよい。
【００４５】
上記構成におけるヒートポンプ式給湯機システムの作動について説明する。ミストサウナ装置用操作パネル２７の操作によりミストサウナ装置３０の運転が起動したとき、ヒートポンプユニット１が運転中である場合には、制御装置４０は、湯水混合弁３５の高温側供給配管１８側の流路を適量に開き、ヒートポンプユニット１で加熱された温水の一部を貯湯タンク２に戻る手前で分岐部２４から取り出し、高温側供給配管１８内に引き込む。
【００４６】
これと同時に、制御装置４０は、湯水混合弁３５の低温側供給配管２１側の流路を適量に開くとともに、減圧弁２２を設定圧力に相当する開度に開き、低温側供給配管２１の分岐部２５から低温水である水道水を引き込む。このように引き込まれた高温水と低温水は、制御装置４０がミストサウナ装置用操作パネル２７により要求される適温の温水を生成するために開度を調節した湯水混合弁３５の各開口を通り、温水供給配管２３で混合して適温の温水になり、ミストサウナ装置３０に到達することになる。
【００４７】
一方、ミストサウナ装置用操作パネル２７の操作によりミストサウナ装置３０の運転が起動したとき、ヒートポンプユニット１が運転停止中である場合には、制御装置４０は、湯水混合弁３５の高温側供給配管１８側の流路を適量に開き、貯湯タンク２内に貯められた温水の一部を流入口４から戻り配管３を介して取り出し、ヒートポンプユニット１に至る手前の分岐部２４から高温側供給配管１８内に引き込む。
【００４８】
これと同時に、制御装置４０は、湯水混合弁３５の低温側供給配管２１側の流路を適量に開くとともに、減圧弁２２を設定圧力に相当する開度に開き、低温側供給配管２１の分岐部２５から低温水である水道水を引き込む。このように引き込まれた高温水と低温水は、制御装置４０がミストサウナ装置用操作パネル２７により要求される適温の温水を生成するために開度を調節した湯水混合弁３５の各開口を通り、温水供給配管２３で混合して適温の温水になり、ミストサウナ装置３０に到達することになる。
【００４９】
このように本参考形態のヒートポンプ式給湯機システムは、湯水混合手段２０が、ヒートポンプユニット１によって加熱された高温水を供給するために延設された高温側供給配管１８と、高温水と混合させる低温水を供給するために延設された低温側供給配管２１とが合流する部分に三方弁である湯水混合弁３５を備え、ヒートポンプユニット１および貯湯タンクユニット１０から離れた両ユニットの外部に設置されている構成である。
【００５０】
この構成により、高温水と低温水を混合させて温度調節した後の温水がミストサウナ装置３０に到達するまでの経路を短くすることができるので、安定した給水圧および低流量の温水が、配管を流れる間の熱的ロスを少なくして、適温でミストサウナ装置３０に供給されることになる。
【００５１】
また、ヒートポンプユニットによる沸き上げ給湯水を高温水として利用することにより、ミストサウナ装置３０への供給する温水を適温および低流量の温水にすることができるので、ミストサウナ装置３０においてミスト化されない捨て水を大量が発生することがなく省エネルギー化を実現できる。
【００５２】
（第１実施形態）
本実施形態のヒートポンプ式給湯機システムについて図２および図３を用いて説明する。図２は、本実施形態のヒートポンプ式給湯機システムにおける制御構成を示した模式図であり、図３は、本実施形態におけるヒートポンプ式給湯機システムの概略構成を示した模式図である。本実施形態のヒートポンプ式給湯機システムは、前述の第１参考形態のヒートポンプ式給湯機システムに対して、以下の点が異なっている。
【００５３】
それは、低温側供給配管２９が、給湯用水として貯湯タンク２から導出される湯が流れる給湯配管１３の途中であって、貯湯タンク２に水道水を運ぶ給水配管７が分岐して給湯配管１３と合流する位置にある混合弁１４よりも下流部分にあたる分岐部２８から、湯水混合手段２０Ａに向けて延設されている点であり、さらにこの点に関連して、第１参考形態のヒートポンプ式給湯機システムが備えていた減圧弁２２を減圧弁８で代用している点である。なお、その他の構成は第１参考形態のヒートポンプ式給湯機システムと同様である。
【００５４】
本実施形態のヒートポンプ式給湯機システムの作動について説明する。ミストサウナ装置用操作パネル２７の操作によりミストサウナ装置３０の運転が起動したとき、ヒートポンプユニット１が運転中である場合には、高温水の流れに関しては第１参考形態と同様の作動が行われる。
【００５５】
これと同時に、制御装置４０は、湯水混合弁３５の低温側供給配管２９側の流路を適量に開くとともに、混合弁１４の流路開口面積を給水配管７側が１００％となるように制御し、分岐部２８から低温側供給配管２９内に低温水である水道水を引き込む。このように引き込まれた高温水と低温水は、制御装置４０がミストサウナ装置用操作パネル２７により要求される適温の温水を生成するために開度を調節した湯水混合弁３５の各開口を通り、温水供給配管２３で混合して適温の温水になり、ミストサウナ装置３０に到達することになる。
【００５６】
一方、ミストサウナ装置用操作パネル２７の操作によりミストサウナ装置３０の運転が起動したとき、ヒートポンプユニット１が運転停止中である場合には、高温水の流れに関しては第１参考形態と同様の作動が行われる。
【００５７】
これと同時に、制御装置４０は、湯水混合弁３５の低温側供給配管２９側の流路を適量に開くとともに、混合弁１４の流路開口面積を給水配管７側が１００％となるように制御し、分岐部２８から低温側供給配管２９内に低温水である水道水を引き込む。このように引き込まれた高温水と低温水は、上述のヒートポンプユニット１が運転中である場合と同様に混合されてミストサウナ装置３０に到達することになる。
【００５８】
本実施形態のヒートポンプ式給湯システムは、低温側供給配管２９が、貯湯タンク２から導出される湯が流れる給湯配管１３の途中で、かつ水道水を運ぶ給水配管７が分岐して給湯配管１３と合流する位置よりも下流部分にあたる分岐部２８から、湯水混合手段２０Ａに向けて延設されている構成である。
【００５９】
この構成を採用した場合には、低温側供給配管２９の配管施工を簡単化することができる。また、貯湯タンク２に供給する水道水を減圧する減圧弁８が設けられているので、高温水に対して圧力バランスがとれた低温水を取り込むことができるため、ミストサウナ装置３０に供給する温水の温度調節が行い易くなる。さらに、この減圧弁８は、高温水と混合させる低温水の流量を調整することにもなるので、ミストサウナ装置３０に供給する温水の温度調節と、貯湯タンク２に供給する水道水の流量調節との両方を兼ねることができる。
【００６０】
（第２参考形態）
本参考形態のヒートポンプ式給湯機システムについて図２および図４を用いて説明する。図２は、ヒートポンプ式給湯機システムにおける制御構成を示した模式図であり、図４は、本参考形態におけるヒートポンプ式給湯機システムの概略構成を示した模式図である。本参考形態のヒートポンプ式給湯機システムは、前述の第１参考形態のヒートポンプ式給湯機システムに対して、以下の点が異なっている。
【００６１】
それは、低温側供給配管３２が、減圧弁８よりも下流における分岐部３１から湯水混合手段２０Ｂに向けて延設されている点であり、さらにこの点に関連して、第１実施形態と同様に、第１参考形態の減圧弁２２を減圧弁８で代用している点である。なお、その他の構成は第１参考形態のヒートポンプ式給湯機システムと同様である。
【００６２】
本参考形態のヒートポンプ式給湯機システムの作動について説明する。ミストサウナ装置用操作パネル２７の操作によりミストサウナ装置３０の運転が起動したとき、ヒートポンプユニット１が運転中である場合には、高温水の流れに関しては第１参考形態と同様の作動が行われる。
【００６３】
これと同時に、制御装置４０は、湯水混合弁３５の低温側供給配管３２側の流路を適量に開き、分岐部３１から低温水である水道水を低温側供給配管３２内に引き込む。このように引き込まれた高温水と低温水は、制御装置４０がミストサウナ装置用操作パネル２７により要求される適温の温水を生成するために開度を調節した湯水混合弁３５の各開口を通り、温水供給配管２３で混合して適温の温水になり、ミストサウナ装置３０に到達することになる。
【００６４】
一方、ミストサウナ装置用操作パネル２７の操作によりミストサウナ装置３０の運転が起動したとき、ヒートポンプユニット１が運転停止中である場合には、高温水の流れに関しては第１参考形態と同様の作動が行われる。
【００６５】
これと同時に、制御装置４０は、湯水混合弁３５の低温側供給配管３２側の流路を適量に開き、分岐部３１から低温水である水道水を低温側供給配管３２内に引き込む。このように引き込まれた高温水と低温水は、上述のヒートポンプユニット１が運転中である場合と同様に混合されてミストサウナ装置３０に到達することになる。
【００６６】
本参考形態のヒートポンプ式給湯システムは、低温側供給配管３２が減圧弁８よりも下流における分岐部３１から湯水混合手段２０Ｂに向けて延設されている構成を採用したことにより、減圧弁８はミストサウナ装置３０に供給する温水の温度調節と、貯湯タンク２に供給する水道水の流量調節との両方を兼ねることができる。
【００６７】
（第３参考形態）
本参考形態のヒートポンプ式給湯機システムについて図２、図５および図６を用いて説明する。図２は、本実施形態のヒートポンプ式給湯機システムにおける制御構成を示した模式図であり、図５は、ヒートポンプ式給湯機システムの概略構成を示した模式図である。また、図６は、図５に示すヒートポンプ式給湯機システムの変形例を示した模式図である。本参考形態のヒートポンプ式給湯機システムは、前述の第１参考形態のヒートポンプ式給湯機システムに対して、以下の点が異なっている。
【００６８】
それは、高温側供給配管３３が、給湯用水として貯湯タンク２から導出される湯が流れる給湯配管１３の途中から分岐して湯水混合手段２０Ｃに向けて延設されている点である。なお、その他の構成は第１参考形態のヒートポンプ式給湯機システムと同様である。
【００６９】
本参考形態のヒートポンプ式給湯機システムの作動について説明する。ミストサウナ装置用操作パネル２７の操作によりミストサウナ装置３０の運転が起動したとき、ヒートポンプユニット１が運転中、停止中にかかわらず、制御装置４０は、湯水混合弁３５の高温側供給配管１８側の流路を適量に開き、貯湯タンク２で貯められている給湯水を貯湯タンク２の上部に接続された給湯配管１３を介して取り出して、途中で分岐した高温側供給配管１８内に引き込む。
【００７０】
これと同時に、制御装置４０は、低温水の取り出しに関して第１参考形態と同様の作動を行う。このように引き込まれた高温水と低温水は、制御装置４０がミストサウナ装置用操作パネル２７により要求される適温の温水を生成するために開度を調節した湯水混合弁３５の各開口を通り、温水供給配管２３で混合して適温の温水になり、ミストサウナ装置３０に到達することになる。
【００７１】
本参考形態のヒートポンプ式給湯システムは、高温側供給配管３３が、貯湯タンク２から導出される湯が流れる給湯配管１３の途中から分岐して湯水混合手段２０Ｃに向けて延設されている構成とする。この構成を採用した場合には、貯湯タンク２から導出される圧力の安定した湯を高温水として使用するので、ミストサウナ装置３０に供給する温水の温度調節が容易になる。また、貯湯タンク２の構造を変更することなく配管工事を行うことができる。
【００７２】
また、他の高温側供給配管の形態として、図６に示すように、高温側供給配管３４は給湯配管１３から分岐しないで貯湯タンク２の上部に直接接続された構成としている。この高温側供給配管３４を採用した場合には、前述の高温側供給配管３３を採用した場合の効果に加えて、給湯配管１３を介さないで貯湯タンク２内から直接、高温水を取り出すので、シャワーや台所等での断続出湯時に発生する、給湯配管内での圧力降下の影響を受けにくくなるため、安定した圧力および温度の温水をミストサウナ装置３０へ供給することができる。
【００７３】
（その他の実施形態）
以上、本発明の好ましい実施形態について説明したが、本発明は上述した実施形態に何ら制限されることなく、本発明の主旨を逸脱しない範囲において種々変形して実施することが可能である。
【００７４】
例えば、湯水混合手段２０、２０Ａ、２０Ｂ、２０Ｃが備える混合弁３５は、高温側供給配管１８、３３、３４を流れてきた高温水と低温側供給配管２１、２９、３２を流れてきた低温水の流量比を自己調整する自己式混合弁で構成してもよい。この構成を採用した場合には、制御装置との信号の送受信が不要であり、特に有線の信号線が不要になるので、システムにおける施工を簡略化することができる。
【００７５】
また、ヒートポンプユニット１のヒートポンプサイクルを流れる作動冷媒は、二酸化炭素に限定されるものではなく、フロン等の他の冷媒であってもよい。
【図面の簡単な説明】
【００７６】
【図１】第１参考形態におけるヒートポンプ式給湯機システムの概略構成を示した模式図である。
【図２】第１、第２および第３参考形態、並びに第１実施形態のヒートポンプ式給湯機システムにおける制御構成を示した模式図である。
【図３】第１実施形態におけるヒートポンプ式給湯機システムの概略構成を示した模式図である。
【図４】第２参考形態におけるヒートポンプ式給湯機システムの概略構成を示した模式図である。
【図５】第３参考形態におけるヒートポンプ式給湯機システムの概略構成を示した模式図である。
【図６】図５に示すヒートポンプ式給湯機システムの変形例を示した模式図である。
【符号の説明】
【００７７】
１      ヒートポンプユニット
２      貯湯タンク
３      戻り配管
７      給水配管
８      減圧弁（減圧手段）
１０、１０Ａ、１０Ｂ、１０Ｃ  貯湯タンクユニット
１３    給湯配管
１４    混合弁（給湯用湯水混合手段）
１８、３３、３４      高温側供給配管
２０、２０Ａ、２０Ｂ、２０Ｃ  湯水混合手段
２１、２９、３２      低温側供給配管
２８    分岐部（下流部分）
３０    ミストサウナ装置
３１    分岐部（配管部分）
【図１】
0004720484.tif 000002
【図２】
0004720484.tif 000003
【図３】
0004720484.tif 000004
【図４】
0004720484.tif 000005
【図５】
0004720484.tif 000006
【図６】
0004720484.tif 000007